(57)【要約】【課題】クレジットカード決済に利用し得るギフトを管理する。【解決手段】ギフト管理システム５は、ギフト管理装置２０とカード情報管理装置３０を備える。ギフト管理装置は、カード識別コードが記憶されるカード情報記憶部２１と、ステータス情報・有効日情報・ギフト金額情報・カードＩＤがギフトＩＤ毎に記憶されるギフト情報記憶部２２と、端末装置１０からギフトＩＤ・カードＩＤを受信する受信部２３と、カード照合部２４・ギフト照合部２５の各照合結果に応じてギフト処理要求を生成するギフト処理要求生成部２６と、ギフト処理要求に対するギフト処理応答をカード情報管理装置から取得するギフト処理応答取得部２７とを備える。カード情報管理装置は、ギフト利用情報・支払金額情報がカードＩＤ毎に記憶されるユーザ報記憶部３１と、ギフト利用情報に応じてギフト処理応答を生成するギフト処理応答生成部３４とを備える。【選択図】      図１
2007219652.tif 000002
【特許請求の範囲】
【請求項１】
クレジットカードの支払金額を減額させることが可能なギフトの利用に際し、前記ギフトを識別するギフトＩＤと前記クレジットカードを識別するカードＩＤとを含むギフト利用要求を端末装置から受信して、該クレジットカードのユーザが保有する前記ギフトの情報を管理するためのギフト管理装置と、前記クレジットカードのユーザの支払金額を示す支払金額情報を管理するためのカード情報管理装置とを備えたギフト管理システムであって、
前記ギフト管理装置は、
前記ギフトを利用可能なクレジットカードのカードＩＤに含まれるカード識別コードが記憶されるカード情報記憶手段と、
前記ギフトＩＤ毎に、該ギフトが有効か無効かを示すステータス情報と、該ギフトの有効日を示す有効日情報と、該ギフトの金額を示すギフト金額情報と、前記カードＩＤとが予め関連付けられて記憶されるギフト情報記憶手段と、
前記端末装置から送信されるギフト利用要求と、該ギフト利用要求の取得日を示す取得日情報とを対応付けて受信する受信手段と、
前記ギフト利用要求に含まれるカードＩＤに、前記カード情報記憶手段に記憶されるカード識別コードが含まれているか否かを照合するカード照合手段と、
前記ギフト利用要求に含まれるギフトＩＤに基づいて、前記ギフト情報記憶手段を参照し、当該ギフトＩＤに対応するステータス情報が有効であるか否かを照合するステータス照合手段と、
前記ギフト利用要求に含まれるギフトＩＤに基づいて、前記ギフト情報記憶手段を参照し、当該ギフトＩＤに対応する有効日情報が前記取得日情報と同日または後日であるか否かを照合する有効日照合手段と、
前記各照合手段による照合結果のいずれもが否とならない場合、該ギフトのギフト金額情報と該カードＩＤとを含むギフト処理要求を該カード識別コードに基づいて生成するためのギフト処理要求生成手段と、
前記ギフト処理要求に対し、許可応答または不許可応答からなるギフト処理応答を前記カード情報管理装置から取得するためのギフト処理応答取得手段と、
前記ギフト処理応答取得手段により許可応答が取得された場合、前記ギフト情報記憶手段に記憶されたステータス情報およびギフト金額情報を変更するギフト情報変更手段と
を備え、
前記カード情報管理装置は、
前記ユーザが保有するクレジットカードのカードＩＤ毎に、前記ギフトの利用の許可または不許可を示すギフト利用情報と前記支払金額情報とが予め関連付けて記憶されるユーザ情報記憶手段と、
前記ギフト管理装置からギフト処理要求を取得した場合、該ギフト処理要求に含まれるカードＩＤに対応するギフト利用情報を前記ユーザ情報記憶手段から抽出するギフト利用情報抽出手段と、
前記ギフト利用情報抽出手段により抽出されるギフト利用情報が許可であるか不許可であるかに応じて、許可応答または不許可応答からなるギフト処理応答を生成するギフト処理応答生成手段と、
前記ギフト処理応答生成手段により許可応答が生成された場合、前記ギフト処理要求に含まれるギフト金額情報に基づいて前記支払金額情報を減額処理する手段と
を備えたことを特徴とするギフト管理システム。
【請求項２】
請求項１に記載のギフト管理システムにおいて、
前記ギフト管理装置は、
前記許可応答とともに前記支払金額情報を前記カード情報管理装置から取得し、該支払金額情報に対して前記ギフト金額情報を減額処理した新たな支払金額情報を生成する減額処理手段
をさらに備え、
前記カード情報管理装置は、前記減額処理する手段に代えて、
前記減額処理手段により生成された新たな支払金額情報を取得し、前記ユーザ情報記憶手段に記憶された前記支払金額情報を該新たな支払金額情報に変更するユーザ情報変更手段
を備えたことを特徴とするギフト管理システム。
【請求項３】
請求項１または２に記載のギフト管理システムであって、
前記ギフトは、複数の種類のクレジットカードの支払金額を減額させることができ、
前記カード情報管理装置は、該クレジットカードの種類毎に個別に設けられることを特徴とするギフト管理システム。
【請求項４】
クレジットカードの支払金額を減額させることが可能なギフトの利用に際し、前記ギフトを識別するギフトＩＤと前記クレジットカードを識別するカードＩＤとを含むギフト利用要求を端末装置から受信し、かつ、前記クレジットカードのユーザの支払金額を示す支払金額情報を管理するためのカード情報管理装置から前記ギフトの利用が許可されるか否かの応答を取得して、該クレジットカードのユーザが保有する前記ギフトの情報を管理するためのギフト管理装置であって、
前記ギフトを利用可能なクレジットカードのカードＩＤに含まれるカード識別コードが記憶されるカード情報記憶手段と、
前記ギフトＩＤ毎に、該ギフトが有効か無効かを示すステータス情報と、該ギフトの有効日を示す有効日情報と、該ギフトの金額を示すギフト金額情報と、前記カードＩＤとが予め関連付けられて記憶されるギフト情報記憶手段と、
前記端末装置から送信されるギフト利用要求と、該ギフト利用要求の取得日を示す取得日情報とを対応付けて受信する受信手段と、
前記ギフト利用要求に含まれるカードＩＤに、前記カード情報記憶手段に記憶されるカード識別コードが含まれているか否かを照合するカード照合手段と、
前記ギフト利用要求に含まれるギフトＩＤに基づいて、前記ギフト情報記憶手段を参照し、当該ギフトＩＤに対応するステータス情報が有効であるか否かを照合するステータス照合手段と、
前記ギフト利用要求に含まれるギフトＩＤに基づいて、前記ギフト情報記憶手段を参照し、当該ギフトＩＤに対応する有効日情報が前記取得日情報と同日または後日であるか否かを照合する有効日照合手段と、
前記各照合手段による照合結果のいずれもが否とならない場合、該ギフトのギフト金額情報と該カードＩＤとを含むギフト処理要求を該カード識別コードに基づいて生成するためのギフト処理要求生成手段と、
前記ギフト処理要求に対し、許可応答または不許可応答からなるギフト処理応答を前記カード情報管理装置から取得するためのギフト処理応答取得手段と、
前記ギフト処理応答取得手段により許可応答が取得された場合、前記ギフト情報記憶手段に記憶されたステータス情報およびギフト金額情報を変更するギフト情報変更手段と
を備えたことを特徴とするギフト管理装置。
【請求項５】
クレジットカードの支払金額を減額させることが可能なギフトの利用に際し、前記ギフトを識別するギフトＩＤと前記クレジットカードを識別するカードＩＤとを含むギフト利用要求を端末装置から受信し、かつ、前記クレジットカードのユーザの支払金額を示す支払金額情報を管理するためのカード情報管理装置から前記ギフトの利用が許可されるか否かの応答を取得して、該クレジットカードのユーザが保有する前記ギフトの情報をギフト管理装置により管理するためのギフト管理方法であって、
前記ギフトを利用可能なクレジットカードのカードＩＤに含まれるカード識別コードを前記ギフト管理装置のメモリに予め記憶するカード情報記憶ステップと、
前記ギフトＩＤ毎に、該ギフトが有効か無効かを示すステータス情報と、該ギフトの有効日を示す有効日情報と、該ギフトの金額を示すギフト金額情報と、前記カードＩＤとを前記ギフト管理装置のメモリに予め関連付けて記憶するギフト情報記憶ステップと、
前記端末装置から送信されるギフト利用要求と、該ギフト利用要求の取得日を示す取得日情報とを対応付けて受信する受信ステップと、
前記ギフト利用要求に含まれるカードＩＤに、前記メモリに記憶されるカード識別コードが含まれているか否かを照合するカード照合ステップと、
前記ギフト利用要求に含まれるギフトＩＤに基づいて、前記メモリを参照し、当該ギフトＩＤに対応するステータス情報が有効であるか否かを照合するステータス照合ステップと、
前記ギフト利用要求に含まれるギフトＩＤに基づいて、前記メモリを参照し、当該ギフトＩＤに対応する有効日情報が前記取得日情報と同日または後日であるか否かを照合する有効日照合ステップと、
前記各照合ステップによる照合結果のいずれもが否とならない場合、該ギフトのギフト金額情報と該カードＩＤとを含むギフト処理要求を該カード識別コードに基づいて生成するためのギフト処理要求生成ステップと、
前記ギフト処理要求に対し、許可応答または不許可応答からなるギフト処理応答を前記カード情報管理装置から取得するためのギフト処理応答取得ステップと、
前記ギフト処理応答取得ステップにより許可応答が取得された場合、前記メモリに記憶されたステータス情報およびギフト金額情報を変更するギフト情報変更ステップと
を備えたことを特徴とするギフト管理方法。
【発明の詳細な説明】
【技術分野】
【０００１】
本発明は、クレジットカード決済に利用し得るギフトを管理するギフト管理システムに関する。
【背景技術】
【０００２】
近年、電子決済の発展に伴い、各決済手段により種々のポイントシステムが提供されている。
【０００３】
例えば、電子マネーのオフライン利用に対し、顧客の利用意欲を高めることができるポイントシステムなどが検討されている（例えば、特許文献１参照）。
【０００４】
また、ポイントシステムには、自己のポイントを他人に移転できるものがある。このような他人に移転できるポイントを「ギフト」という。
【特許文献１】特開２００２−１７００６４号公報
【発明の開示】
【発明が解決しようとする課題】
【０００５】
上述したギフトは、電子的にバリューが蓄積されるので、電子マネーとの互換が容易である。それゆえ、ギフトを予め設定された比率で電子マネーに変換することにより、電子マネーによる決済時にギフトを利用することができる。すなわち、電子マネーの金額分とギフトの金額分との合計金額まで決済することができる。
【０００６】
一方、クレジットカード決済は、ユーザの信用力に応じて決済を可能とするものであり、電子的なバリューが蓄積されるものではない。それゆえ、本発明者らの検討によれば、クレジットカード決済の際、ギフトを利用することができなかった。
【０００７】
本発明は、上記実情に鑑みてなされたものであり、クレジットカード決済に利用し得るギフトを管理するギフト管理システムを提供することを目的とする。
【課題を解決するための手段】
【０００８】
本発明は上記課題を解決するために、クレジットカードの支払金額を減額させることが可能なギフトの利用に際し、前記ギフトを識別するギフトＩＤと前記クレジットカードを識別するカードＩＤとを含むギフト利用要求を端末装置から受信して、該クレジットカードのユーザが保有する前記ギフトの情報を管理するためのギフト管理装置と、前記クレジットカードのユーザの支払金額を示す支払金額情報を管理するためのカード情報管理装置とを備えたギフト管理システムであって、前記ギフト管理装置は、前記ギフトを利用可能なクレジットカードのカードＩＤに含まれるカード識別コードが記憶されるカード情報記憶手段と、前記ギフトＩＤ毎に、該ギフトが有効か無効かを示すステータス情報と、該ギフトの有効日を示す有効日情報と、該ギフトの金額を示すギフト金額情報と、前記カードＩＤとが予め関連付けられて記憶されるギフト情報記憶手段と、前記端末装置から送信されるギフト利用要求と、該ギフト利用要求の取得日を示す取得日情報とを対応付けて受信する受信手段と、前記ギフト利用要求に含まれるカードＩＤに、前記カード情報記憶手段に記憶されるカード識別コードが含まれているか否かを照合するカード照合手段と、前記ギフト利用要求に含まれるギフトＩＤに基づいて、前記ギフト情報記憶手段を参照し、当該ギフトＩＤに対応するステータス情報が有効であるか否かを照合するステータス照合手段と、前記ギフト利用要求に含まれるギフトＩＤに基づいて、前記ギフト情報記憶手段を参照し、当該ギフトＩＤに対応する有効日情報が前記取得日情報と同日または後日であるか否かを照合する有効日照合手段と、前記各照合手段による照合結果のいずれもが否とならない場合、該ギフトのギフト金額情報と該カードＩＤとを含むギフト処理要求を該カード識別コードに基づいて生成するためのギフト処理要求生成手段と、前記ギフト処理要求に対し、許可応答または不許可応答からなるギフト処理応答を前記カード情報管理装置から取得するためのギフト処理応答取得手段と、前記ギフト処理応答取得手段により許可応答が取得された場合、前記ギフト情報記憶手段に記憶されたステータス情報およびギフト金額情報を変更するギフト情報変更手段とを備え、前記カード情報管理装置は、前記ユーザが保有するクレジットカードのカードＩＤ毎に、前記ギフトの利用の許可または不許可を示すギフト利用情報と前記支払金額情報とが予め関連付けて記憶されるユーザ情報記憶手段と、前記ギフト管理装置からギフト処理要求を取得した場合、該ギフト処理要求に含まれるカードＩＤに対応するギフト利用情報を前記ユーザ情報記憶手段から抽出するギフト利用情報抽出手段と、前記ギフト利用情報抽出手段により抽出されるギフト利用情報が許可であるか不許可であるかに応じて、許可応答または不許可応答からなるギフト処理応答を生成するギフト処理応答生成手段と、前記ギフト処理応答生成手段により許可応答が生成された場合、前記ギフト処理要求に含まれるギフト金額情報に基づいて前記支払金額情報を減額処理する手段とを備えたギフト管理システムを提供する。
【０００９】
なお、本発明は、各装置の集合体を「システム」として表現したが、これに限らず、装置毎に「装置」として表現してもよく、また、システム又は装置毎に「方法」として表現してもよい。すなわち、本発明は、任意のカテゴリーで表現可能となっている。
【００１０】
＜作用＞
従って、本発明は以上のような手段を講じたことにより、ギフト管理装置とカード情報管理装置とを備えたギフト管理システムであって、ギフト管理装置は、カード識別コードが記憶されるカード情報記憶手段と、ステータス情報・有効日情報・ギフト金額情報・カードＩＤがギフトＩＤ毎に記憶されるギフト情報記憶手段と、端末装置からギフトＩＤ・カードＩＤを受信する受信手段と、カード照合手段・ギフト照合手段の各照合結果に応じてギフト処理要求を生成するギフト処理要求生成手段と、ギフト処理要求に対するギフト処理応答をカード情報管理装置から取得するギフト処理応答取得手段とを備え、カード情報管理装置は、ギフト利用情報・支払金額情報がカードＩＤ毎に記憶されるユーザ報記憶手段と、ギフト利用情報に応じてギフト処理応答を生成するギフト処理応答生成手段とを備えているので、クレジットカード決済に利用し得るギフトを管理することができるギフト管理システムを提供することができる。
【発明の効果】
【００１１】
本発明によれば、クレジットカード決済に利用し得るギフトを管理することができる。
【発明を実施するための最良の形態】
【００１２】
以下、本発明の一実施形態について図面を参照しながら説明する。
【００１３】
＜第1の実施形態＞
（１−１．構成）
図１は本発明の一実施形態に係るギフト管理システム５の構成を示す模式図である。
【００１４】
ギフト管理システム５は、端末装置１０とギフト管理装置２０・カード情報管理装置３０とを備え、ギフトの流通を管理するものである。
【００１５】
ここで、「ギフト」とは、他人に移転することができる、換金性を有する電子的なポイントのことである。また、本実施形態においては、複数の種類のクレジットカードに対し共通的に利用することができるポイントである。
【００１６】
端末装置１０は、入力部１１と送信部１２・受信部１３・表示部１４とを備えている。
【００１７】
入力部１１は、ギフトを識別する「ギフトＩＤ」と、クレジットカードを識別する「カードＩＤ」とを入力するものである。なお、本実施形態では、カードＩＤは１６桁の数字からなるものである。入力されたギフトＩＤとカードＩＤとは送信部１２に送出される。
【００１８】
送信部１２は、入力部１１により入力されたギフトＩＤとカードＩＤとを含む「ギフト利用要求」を、ネットワークを介してギフト管理装置２０に送信するものである。
【００１９】
受信部１３は、ギフト管理装置２０の送信部２９からギフト利用要求に対するギフト利用応答を受信するものである。また、ギフト利用応答を表示部１４に送出する。
【００２０】
表示部１４は、受信部１３が受信するギフト利用応答の内容を表示するディスプレイ等である。具体的には、ギフト利用応答に利用完了通知が含まれている場合、表示部１４は、ギフトの利用が完了した旨を表示する。一方、ギフト利用応答に利用不可能通知が含まれている場合、ギフトの利用ができなかった旨を表示する。
【００２１】
ギフト管理装置２０は、カード情報記憶部２１とギフト情報記憶部２２・受信部２３・カード照合部２４・ギフト照合部２５（ステータス照合部２５Ａ・有効日照合部２５Ｂ）・ギフト処理要求生成部２６・ギフト処理応答取得部２７・ギフト情報変更部２８・送信部２９とを備えており、クレジットカードのユーザが保有するギフトのギフト情報を管理する機能を有している。
【００２２】
カード情報記憶部２１は、ギフトを利用可能なクレジットカードのカードＩＤに含まれる「カード識別コード」が記憶されるメモリである。本実施形態においては、カードＩＤ（１６桁の数字）の最初の1桁目の数字がクレジットカードの種類を表わしており、この１桁目の数字をカード識別コードとして用いている。例えば、カード情報記憶部２１には、図２に示すように、カード識別コード毎にギフト利用の可否と受取会社情報とが設定される「カード識別情報テーブルＴ１」が記憶されている。ここでは、カード識別コードが３，４，５，８，９であるクレジットカードであればギフトの利用が可能であり、それ以外の数字の場合には利用が不可能となっている。また、受取会社情報とは、例えばクレジットカードのイシュア（クレジットカード発行会社）を示すものである。
【００２３】
ギフト情報記憶部２２は、ギフトＩＤ毎に、当該ギフトが“有効”か“無効”かを示す「ステータス情報」と、当該ギフトの有効日を示す「有効日情報」と、当該ギフトの金額（バリュー）を示す「ギフト金額情報」と、カードＩＤとが関連付けられて記憶されるメモリである。
【００２４】
詳しくは、図３に示すような「ギフトＩＤ管理テーブルＴ２」と、図４に示すような「ギフト登録管理テーブルＴ３」とが記憶されている。ギフトＩＤ管理テーブルＴ２はギフトが発行される際に初期値が予め設定されている情報であり、ギフトＩＤ毎に、ステータス情報・有効日情報・ギフト金額情報が記憶されている。ギフト登録管理テーブルＴ３は後述するギフト登録処理により登録される情報であり、ギフトＩＤ毎に、ギフトの登録日・登録状態・カードＩＤ・受取会社情報が記憶される。登録状態の欄は、初期状態では“未登録”と設定されており、ギフト登録処理が実行されると“登録済”と変更される。また、登録後にギフトが利用されて、ギフトの残高がゼロになった場合は“支払済”となり、ギフトの残高が残っている場合には“支払中”と記録される。また、受取会社情報は、カード識別コードから特定される。
【００２５】
受信部２３は、端末装置１０の送信部１２から送信されるギフト利用要求と当該ギフト利用要求の取得日を示す「取得日情報」とを対応づけて受信するものである。受信したこれらの情報は、カード照合部２４に送出される。
【００２６】
カード照合部２４は、ギフト利用要求に含まれるカードＩＤに、カード情報記憶部２１に記憶されるカード識別コードが含まれているか否かを照合するものである。照合の結果、カード識別コードが含まれている場合には、ギフト利用要求と取得日情報とをギフト照合部２５に送出する。一方、カード識別コードが含まれていない場合は、当該ギフトの利用が不可能であることを示す「利用不可能通知」を送信部２９に送出する。
【００２７】
ギフト照合部２５は、ギフト利用要求および取得日情報と、ギフト情報記憶部２２に記憶された情報とを照合するものであり、ステータス照合部２５Ａと有効日照合部２５Ｂとを備えている。
【００２８】
ステータス照合部２５Ａは、ギフト利用要求に含まれるギフトＩＤに基づいて、ギフト情報記憶部２２を参照し、当該ギフトＩＤに対応するステータス情報が有効であるか否かを照合するものである。照合の結果、ステータス情報が有効である場合には、ギフトＩＤを含む「ステータス確認」をギフト処理要求生成部２６に送出する。一方、ステータス情報が無効である場合には、「利用不可能通知」を送信部２９に送出する。
【００２９】
有効日照合部２５Ｂは、ギフト利用要求に含まれるギフトＩＤに基づいて、ギフト情報記憶部２２を参照し、当該ギフトＩＤに対応する有効日情報が取得日情報と同日または後日であるか否かを照合するものである。照合の結果、有効日情報が取得日情報と同日または後日である場合には、「有効日確認」をギフト処理要求生成部２６に送出する。一方、有効日情報が取得日情報よりも前日である場合には、「利用不可能通知」を送信部２９に送出する。
【００３０】
ギフト処理要求生成部２６は、ステータス照合部２５Ａからのステータス確認と有効日照合部２５Ｂの有効日確認とを受け取った場合、ギフト情報記憶部２２を参照して、当該ギフトＩＤに対応するギフト金額情報と当該カードＩＤとを含む「ギフト処理要求」を生成する。すなわち、各照合部２４・２５Ａ・２５Ｂによる照合結果のいずれもが否とならない場合（一致する場合）、ギフト処理要求が生成される。また、ギフト処理要求は、ネットワークを介して、カード情報管理装置３０のギフト処理要求取得部３２へ送信される。また、ギフト処理要求が生成された旨が送信部２９に送出される。
【００３１】
なお、クレジットカードの種類により取り扱う電文のフォーマットが異なる。それゆえ、複数のカード情報管理装置３０が、クレジットカードの種類に応じて設置される場合には、カード情報管理装置３０毎に異なるフォーマットの電文が作成される。例えば、図５に示すように、カード情報管理装置３０が設置されるクレジットカード会社（図５中、受取会社名Ｂ）毎に、通信先アドレスと通信用アカウントおよびパスワード・番号照会電文フォーマット・利用照会電文フォーマット・利用照会日・ギフト支払電文フォーマット・ギフト支払日の情報からなる「フォーマット情報テーブルＴ４」がギフト処理要求生成部２６に記憶されており、これらのフォーマットに従ってギフト処理要求が作成される。
【００３２】
ギフト処理応答取得部２７は、ギフト処理要求生成部２６が生成するギフト処理要求に対して、許可応答または不許可応答を示すギフト処理応答をカード情報管理装置３０から取得するものである。ここでは、ギフト処理応答は、ネットワークを介して、カード情報管理装置３０のギフト処理応答生成部３４から受信する。また、許可応答を取得した場合は、ギフト情報変更部２８に当該許可応答を送出し、不許可応答を取得した場合は、送信部２９に「利用不可能通知」を送出する。
【００３３】
ギフト情報変更部２８は、ギフト処理応答取得部２７から送出される許可応答に応じて、ギフト情報記憶部２２に記憶されている情報を変更するものである。具体的には、ギフト情報変更部２８は、後述する許可応答に含まれている支払金額情報がギフト金額情報以上の場合（支払金額≧ギフト金額）、ギフト情報記憶部２２に記憶されるギフトＩＤ管理テーブルＴ２のステータス情報の欄を“有効”から“無効”に変更し、ギフト金額情報の欄を“ゼロ”に変更する。さらに、ギフト登録管理テーブルＴ３の登録状態の欄を、ギフトを利用した旨を示す“支払済”情報に変更する。一方、許可応答に含まれる支払金額情報がギフト金額情報より少ない場合（支払金額＜ギフト金額）、ギフト情報記憶部２２に記憶されるギフトＩＤ管理テーブルＴ２のギフト金額情報の欄を、ギフト金額情報から支払金額情報を引いた値に変更し、新たなギフト金額情報として記憶する（新たなギフト金額＝ギフト金額−支払金額）。さらに、ギフト登録管理テーブルＴ３の登録状態の欄を、ギフトの一部を利用した旨を示す“支払中”情報に変更する。また、ギフト情報変更部２８は、これらの変更した情報を含む「利用完了通知」を送信部２９に送出する。
【００３４】
送信部２９は、カード照合部２４・ギフト照合部２５（２５Ａ・２５Ｂ）・ギフト処理応答取得部２７から送出された利用不可能通知やギフト情報変更部２８から送出された利用完了通知を「ギフト利用応答」として端末装置１０の受信部１３へ送信する。また、ギフト処理要求生成部２６からギフト処理要求を生成した旨が送出された場合、必要に応じて、ギフトの利用を登録した旨を示す「登録完了通知」を端末装置１０へ送信する。
【００３５】
カード情報管理装置３０は、クレジットカードのユーザの支払金額を示す支払金額情報を管理するものであり、ユーザ情報記憶部３１とギフト処理要求取得部３２・ギフト利用情報抽出部３３・ギフト処理応答生成部３４・減額処理部３５とを備えている。
【００３６】
ユーザ情報記憶部３１は、クレジットカードのユーザの利用明細情報を記憶するメモリである。具体的には、図６に示すような「利用明細情報テーブルＴ５」を記憶しており、カードＩＤ毎に「支払金額情報」が対応付けられている。また、図７に示すような「ギフト利用情報テーブルＴ６」を記憶しており、カードＩＤ毎に、ギフトの利用の“許可”または“不許可”を示す「ギフト利用情報」が記憶されている。なお、ギフト利用情報テーブルＴ６は、ユーザの利用明細情報に基づいて作成される。具体的には、初期状態としてギフト利用の欄を“不許可”としておき、予め設定された期間内に、クレジットカード決済をユーザが利用した場合に、ギフト利用の欄を“不許可”から“許可”に変更する。また、設定期間経過後は再び“不許可”の状態に戻し、次に設定される期日までを新たな設定期間として同様の処理を行なう。
【００３７】
ギフト処理要求取得部３２は、ギフト情報管理装置２０のギフト処理要求生成部２５により生成されるギフト処理要求を取得するものである。ここでは、通信手段を用いてギフト処理要求を受信している。ただし、本実施形態においては、通信手段を用いずに、電子媒体等に格納されたファイル等によってギフト処理要求を受け取り、まとまったデータをバッチで一括処理してもよいものとする。これらの取得されたギフト処理要求は、ギフト利用情報抽出部３３へ送出される。
【００３８】
ギフト利用情報抽出部３３は、ギフト処理要求取得部３２からギフト処理要求を受けた場合、当該ギフト処理要求に含まれるカードＩＤに対応するギフト利用情報をユーザ情報記憶部３１から抽出するものである。また、ギフト利用情報抽出部３３は、抽出したギフト利用情報とカードＩＤとをギフト処理応答生成部３４へ送出する。また、抽出したギフト利用情報が“許可”である場合には、ギフト処理要求に含まれるカードＩＤとギフト金額情報とを減額処理部３５に送出する。
【００３９】
ギフト処理応答生成部３４は、ギフト利用情報抽出部３３から送出されるギフト利用情報とカードＩＤとに基づき「ギフト処理応答」を生成するものである。具体的には、ギフト利用情報が“許可”である場合には、カードＩＤに基づいてユーザ情報記憶部３１から支払金額情報を抽出し、当該支払金額情報とカードＩＤとを含む「許可応答」を生成する。また、ギフト利用情報が“不許可”である場合にはカードＩＤを含む「不許可応答」を生成する。そして、これらの許可応答および不許可応答がギフト処理応答として、ギフト管理装置２０のギフト処理応答取得部２７へ送信される。なお、ここでは、通信手段を用いてギフト処理応答を送信しているが、電子媒体等にギフト処理応答のファイルを格納して受け渡してもよい。
【００４０】
減額処理部３５は、ギフト利用情報抽出部３３からカードＩＤとギフト金額情報とが送出された場合、ユーザ情報記憶部３１に記憶された支払金額情報を減額処理するものである。具体的には、カードＩＤに対応する支払金額情報からギフト金額情報を差し引く処理を行なう。なお、支払金額情報がギフト金額情報より少ない場合（支払金額≦ギフト金額）、ユーザ情報記憶部３１に記憶される支払金額情報の欄を“ゼロ”にする。
【００４１】
（１−２．動作）
次に、以上のように構成されたギフト管理システム５の動作を図８を用いて説明する。
【００４２】
（１−２−１）ギフト登録処理
ギフトの利用に際しては、ギフトを利用する旨を登録しておいて、予め設定された支払日にギフトが利用されるようにする。このギフトを利用する旨を登録する処理を、「ギフト登録処理」という。
【００４３】
始めに、クレジットカードのユーザにより、端末装置１０の入力部１１を介して、ギフトＩＤとカードＩＤとが入力される（ステップＳ１）。これにより、端末装置１０から、ギフトＩＤとカードＩＤとを含むギフト利用要求がギフト情報管理装置２０に送信される。
【００４４】
次に、ギフト情報管理装置２０の受信部２３により、ギフト利用要求が受信される（ステップＳ２）。この際、ギフト利用要求が受信される日を取得日情報として、ギフト利用要求と対応付けて取得する。これらのギフト利用要求と取得日情報とは、カード照合部２４に送出される。
【００４５】
続いて、カード照合部２４により、ギフト利用要求に含まれるカードＩＤに、カード情報記憶部２１に記憶されるカード識別コードが含まれているか否かが照合される（ステップＳ３）。
【００４６】
また、ギフト照合部２５（２５Ａ・２５Ｂ）により、ギフト利用要求および取得日情報と、ギフト情報記憶部２２に記憶された情報とが照合される（ステップＳ４）。
【００４７】
各照合部２４・２５Ａ・２５Ｂによる照合結果のいずれかが否となる場合、送信部２９を介して端末装置１０に利用不可能通知が送信される（ステップＳ４−Ｎｏ）。これにより、端末装置１０の表示部１４にギフトの利用ができなかった旨が表示される（ステップＳ５）。
【００４８】
一方、各照合部２４・２５Ａ・２５Ｂによる照合結果のいずれもが否とならない場合、ギフト利用の登録が実行される（ステップＳ４−Ｙｅｓ）。具体的には、ギフトＩＤ管理テーブルＴ２のステータス情報が“無効”から“有効”に変更され、ギフト登録管理テーブルＴ３の登録状態が“未登録”から“登録済”に変更される（ステップＳ６）。この場合、ギフトの登録が完了した旨を示す登録完了通知が送信部２９を介して端末装置１０に送信される（ステップＳ７）。これを受けて、端末装置１０の表示部１４にギフトの登録が完了した旨が表示される（ステップＳ８）。
【００４９】
以上のようにしてギフト登録処理が実行される。
【００５０】
（１−２−２）ギフト利用処理
次に、ギフト登録処理されたギフトが、利用される際の処理を説明する。
【００５１】
ギフト登録されると、予め設定された支払日にギフト情報の照合が行われる（ステップＳ９）。
【００５２】
照合の結果、ギフトが利用できない場合は、端末装置１０に利用不可能通知が送出される（ステップＳ１０−Ｎｏ）。そして、端末装置１０の表示部１４にギフトの利用ができない旨が表示される（ステップＳ１１）。
【００５３】
一方、ギフトが利用できる場合には、ギフト処理要求生成部２６によりギフト処理要求が生成される（ステップＳ１０−ＹＥＳ）。そして、ギフト処理要求が、カード情報管理装置３０へ送信される（ステップＳ１２）。
【００５４】
続いて、カード情報管理装置３０のギフト処理要求取得部３２によりギフト処理要求が受信される（ステップＳ１３）。そして、ギフト処理要求に含まれるカードＩＤに対応するギフト利用情報がギフト利用情報抽出部３３によりユーザ情報記憶部３１から抽出される（ステップＳ１４）。このギフト利用情報と支払金額情報とに基づいてギフト処理応答が生成され、ギフト情報管理装置２０に送信される（ステップＳ１５）。
【００５５】
次に、ギフト情報管理装置２０のギフト処理応答取得部２７によりギフト処理応答が取得される（ステップＳ１６）。ギフト処理応答が許可応答である場合には、ギフト情報変更部２８によりギフト情報記憶部２８に記憶されているギフト金額情報が減額処理される。
【００５６】
続いて、ギフト情報管理装置２０の送信部２９によりギフト利用応答が端末装置１０に送信される（ステップＳ１７）。
【００５７】
そして、端末装置１０の受信部１３によりギフト処理応答が受信され、表示部１４にギフトの利用が完了した旨が表示される（ステップＳ１８）。
【００５８】
以上のようにしてギフトの利用が実行される。
【００５９】
なお、本実施形態において、ギフトを利用する旨を登録しておいて、予め設定された支払日にギフトが利用されるようにしているが、ギフト利用要求の送信の都度、ギフトが利用されるようにしても良い。
【００６０】
（１−３．効果）
以上説明したように、本実施形態に係るギフト管理システム５によれば、ギフト管理装置２０は、カード識別コードが記憶されるカード情報記憶部２１と、ステータス情報・有効日情報・ギフト金額情報・カードＩＤがギフトＩＤ毎に記憶されるギフト情報記憶部２２と、端末装置１０からギフトＩＤ・カードＩＤを受信する受信部２３と、カード照合部２４・ギフト照合部２５の各照合結果に応じてギフト処理要求を生成するギフト処理要求生成部２６と、ギフト処理要求に対するギフト処理応答をカード情報管理装置３０から取得するギフト処理応答取得部２７とを備え、カード情報管理装置３０は、ギフト利用情報・支払金額情報がカードＩＤ毎に記憶されるユーザ報記憶部３１と、ギフト利用情報に応じてギフト処理応答を生成するギフト処理応答生成部３４とを備えているので、クレジットカード決済に利用し得るギフトを管理することができるギフト管理システムを提供することができる。
【００６１】
また、カード情報管理装置３０を、クレジットカードの種類毎に個別に設けることにより、複数の種類のクレジットカードの支払金額を減額させることができるギフトを提供することができる。
【００６２】
また、ギフトと電子マネーとを予め設定された比率で変換することにより、電子マネーによる電子決済において、ギフトを利用することができる。この場合、電子マネーを識別するための電子マネーＩＤの欄をギフトＩＤ管理テーブルＴ１に追加することにより、電子マネー決済およびクレジットカード決済において共通して利用できるギフトを提供することができる。例えば、図９に概念を示すような共通ギフトシステムＳを構築することができる。この場合、ギフトを配布する配布事業者Ｇは、ギフトＩＤが記載されたギフトカード等をユーザＵに配布してギフトを提供する。ユーザＵは、端末装置１０を用いて当該ギフトＩＤを入力する。これにより、クレジットカード決済および電子マネー決済にギフトを利用できるようになる。なお、ギフト管理装置２０は、クレジットカードのイシュアＣや電子マネー提供会社Ａ・Ｂに設置されたカード情報管理装置３０にギフト利用処理要求を送信することとなる。
【００６３】
（１−４．変形例）
なお、本実施形態において、クレジットカードのユーザの支払金額情報を減額処理する際、カード情報管理装置３０が備えた減額処理部３５により実行しているが、ギフト管理装置２０が実行してもよい。具体的には、図１０に示すように、ギフト管理装置２０に減額処理部４０を備え、カード情報管理装置３０にユーザ情報変更部４１を備える。減額処理部４０は、ギフト処理応答に含まれる支払金額情報からギフト金額情報を減額処理して、新たな支払金額情報を生成する。ユーザ情報変更部４１は、減額処理部４０により生成された新たな支払金額情報を取得し、ユーザ情報記憶部３１に記憶された支払金額情報を新たな支払金額情報に変更する。上述した構成により、カード情報管理装置３０における減額処理の負担を軽減することができる。
【００６４】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００６５】
【図１】本発明の一実施形態に係るギフト管理システム５の構成を示す模式図である。
【図２】同実施形態に係る「カード識別情報テーブルＴ１」の概念を示す図である。
【図３】同実施形態に係る「ギフトＩＤ管理テーブルＴ２」の概念を示す図である。
【図４】同実施形態に係る「ギフト登録管理テーブルＴ３」の概念を示す図である。
【図５】同実施形態に係る「フォーマット情報テーブルＴ４」の概念を示す図である。
【図６】同実施形態に係る「利用明細情報テーブルＴ５」の概念を示す図である。
【図７】同実施形態に係る「ギフト利用情報テーブルＴ６」の概念を示す図である。
【図８】同実施形態に係るギフト管理システム５の動作を説明するための図である。
【図９】同実施形態に係る共通ギフトシステムＳの概念を説明するための図である。
【図１０】同実施形態に係るギフト管理システム５の変形例を示す図である。
【符号の説明】
【００６６】
５・・・ギフト管理システム、
１０・・・端末装置、１１・・・入力部、１２・・・送信部、１３・・・受信部、１４・・・表示部、
２０・・・ギフト管理装置、２１・・・カード情報記憶部、２２・・・ギフト情報記憶部、
２３・・・受信部、２４・・・カード照合部、２５・・・ギフト照合部、
２５Ａ・・・ステータス照合部、２５Ｂ・・・有効日照合部、２６・・・ギフト処理要求生成部、
２７・・・ギフト処理応答取得部、２８・・・ギフト情報変更部、２９・・・送信部、
３０・・・カード情報管理装置、３１・・・ユーザ情報記憶部、３２・・・ギフト処理要求取得部、
３３・・・ギフト利用情報抽出部、３４・・・ギフト処理応答生成部、３５・・・減額処理部、
４０・・・減額処理部、４１・・・ユーザ情報変更部、
Ｔ１・・・カード識別情報テーブル、Ｔ２・・・ギフトＩＤ管理テーブル、
Ｔ３・・・ギフト登録管理テーブル、Ｔ４・・・フォーマット情報テーブル、
Ｔ５・・・利用明細情報テーブル、Ｔ６・・・ギフト利用情報テーブル．
【図１】
2007219652.tif 000003
【図２】
2007219652.tif 000004
【図３】
2007219652.tif 000005
【図４】
2007219652.tif 000006
【図５】
2007219652.tif 000007
【図６】
2007219652.tif 000008
【図７】
2007219652.tif 000009
【図８】
2007219652.tif 000010
【図９】
2007219652.tif 000011
【図１０】
2007219652.tif 000012